(57)【要約】      （修正有）【課題】消費電力を低減することができ、小型な筐体で、爆裂することがなく、そして照明の光度が高いＬＥＤ防爆ランプを提供する。【解決手段】少なくとも、ケースと、蓋と、放熱嵌め蓋と、を含み、固定底蓋と鋼管と固定台の組合体に防爆ランプを嵌合して構成されるＬＥＤ防爆ランプにおいて、ケースの底部にはＬＥＤ放熱装置を収容するＬＥＤランプチェンバーが形成されており、蓋はケースの下部のＬＥＤランプチェンバー内に螺接されており、放熱嵌め蓋の底部には内ねじを有する収容空間が設けられており、固定台の下部には固定底蓋に嵌め設けられ固定底蓋に螺合する凸部が形成されており、ＬＥＤ放熱装置は、複数の熱伝導管と、複数の嵌め台と、複数のＬＥＤランプと、から構成されるＬＥＤ防爆ランプ。【選択図】図２
0003144751.tif 000002
【実用新案登録請求の範囲】
【請求項１】
少なくとも、ケース２０と、蓋３０と、放熱嵌め蓋４０と、を含み、固定底蓋６０と鋼管７０と固定台５０の組合体である防爆ランプ１０より構成されるＬＥＤ防爆ランプにおいて、
前記ケース２０は、底部にはＬＥＤ放熱装置８０を収容するＬＥＤランプチェンバー２１が形成されており、前記ケース２０の頂部には前記収容空間２２を有し頂縁に溝２３１が設けられた連接部２３が上方向に延びており、前記連接部２３は、外ねじ２３３と内ねじ４１が嵌合して前記放熱嵌め蓋４０と螺着されており、外端面２３４に放熱フィン２３５が複数環設されており、前記ケース２０の頂部と底部の間には中心から円周方向に延びる放熱フィン２４が複数環設されており、前記ケース２０の中央には、前記ＬＥＤランプチェンバー２１及び前記連接部２３と連通している電気回路経路２２１が設けられており、前記ケース２０の周縁にガイド溝２２２が複数設けられており、前記ケース２０の底部にはシールリング３２を嵌合可能な環状溝２１０が設けられており、
前記蓋３０は、前記ケース２０の末端の前記ＬＥＤランプチェンバー２１内に螺接されており、少なくとも、前記ＬＥＤランプチェンバー２１の底部に螺接されている締付体３１と、内側に嵌め設けられ前記締付体３１と結合しているランプカバー３３と、前記ランプカバー３３の上に嵌め設けられている押付ブロック３４と、前記押付ブロック３４の上に設けられている集光板３５と、を含み、前記締付体３１の上端には内ねじ３１０と外ねじ３１１とを有する立設環状突起３１２が設けられており、前記締付体３１の下端には、円心方向に延びている内環状突起３１４と、逆円心方向に延びている外環状突起３１５と、が設けられており、
前記放熱嵌め蓋４０は、底部には前記内ねじ４１を有する前記収容空間４００が設けられており、前記内ねじ４１が前記外ねじ２３３と嵌合して前記連接部２３に嵌合しており、前記収容空間４００の頂部の外側に嵌め溝４２が設けられており、その中央には前記固定台５０の前記鋼管７０と螺接している嵌め突起４３が上方向に延びており、前記嵌め突起４３の上平面にはリブ４４が複数に設けられており、
前記固定台５０は、下方に前記固定底蓋６０に嵌合する凸部５１が形成されており、前記固定底蓋６０の底部は前記鋼管７０を介して前記防爆ランプ１０の前記放熱嵌め蓋４０に結合されており、
前記ＬＥＤ放熱装置８０は、複数の熱伝導管８１と、複数の嵌め台８２と、複数のＬＥＤランプ８３と、から構成され、前記熱伝導管８１は、対となる前記嵌め台８２にそれぞれ結合されており、前記ケース２０の前記ＬＥＤランプチェンバー２１の複数の前記ガイド溝２２２にそれぞれ挿入されており、複数の前記ＬＥＤランプ８３は、前記ＬＥＤ放熱装置８０の複数の前記熱伝導管８１の一側に結合されていることを特徴とする
ＬＥＤ防爆ランプ。
【請求項２】
前記ケース２０の材質は、高熱伝導係数を有するアルミ合金を使用可能なことを特徴とする、請求項１に記載のＬＥＤ防爆ランプ。
【請求項３】
前記ケース２０と前記蓋３０と前記放熱嵌め蓋４０の結合方式は螺接を使用可能なことを特徴とする、請求項１に記載のＬＥＤ防爆ランプ。
【考案の詳細な説明】
【技術分野】
【０００１】
本考案は、ＬＥＤ（Ｌｉｇｈｔ  Ｅｍｉｔｔｉｎｇ  Ｄｉｏｄｅ）防爆ランプに関するものである。
【背景技術】
【０００２】
従来、防爆ランプは、金属製のケースに大型の電灯を組付けるものが多く、これには次のような欠点があった。
（１）従来の防爆ランプに設けられた大型の電灯の消費電力が極めて多いので、電気代が高額になる。
【０００３】
（２）従来の防爆ランプに設けられた大型の電灯の消費電力が極めて多いので、金属製のチェンバーが高熱になって爆発することがあった。
（３）従来の防爆ランプのランプカバーとランプは、ネジによって締付けられるので、気密が不十分である。
【考案の開示】
【考案が解決しようとする課題】
【０００４】
本考案の主な目的は、ＬＥＤランプチェンバーが気密になり、ケースの蓋と放熱嵌め蓋とケースの結合方式に螺着を採用し、ケースに放熱フィンが複数設けられていることにより、ケースが保護され、そして放熱効果が向上するＬＥＤ防爆ランプを提供することにある。
【課題を解決するための手段】
【０００５】
本考案のＬＥＤ防爆ランプによると、少なくとも、ケース２０と、蓋３０と、放熱嵌め蓋４０と、を含み、固定底蓋６０と鋼管７０と固定台５０の組合体である防爆ランプ１０より構成されるＬＥＤ防爆ランプにおいて、前記ケース２０は、底部にはＬＥＤ放熱装置８０を収容するＬＥＤランプチェンバー２１が形成されており、前記ケース２０の頂部には前記収容空間２２を有し頂縁に溝２３１が設けられた連接部２３が上方向に延びており、前記連接部２３は、外ねじ２３３と内ねじ４１が嵌合して前記放熱嵌め蓋４０と螺着されており、外端面２３４に放熱フィン２３５が複数環設されており、前記ケース２０の頂部と底部の間には中心から円周方向に延びる放熱フィン２４が複数環設されており、前記ケース２０の中央には、前記ＬＥＤランプチェンバー２１及び前記連接部２３と連通している電気回路経路２２１が設けられており、前記ケース２０の周縁にガイド溝２２２が複数設けられており、前記ケース２０の底部にはシールリング３２を嵌合可能な環状溝２１０が設けられており、前記蓋３０は、前記ケース２０の末端の前記ＬＥＤランプチェンバー２１内に螺接されており、少なくとも、前記ＬＥＤランプチェンバー２１の底部に螺接されている締付体３１と、内側に嵌め設けられ前記締付体３１と結合しているランプカバー３３と、前記ランプカバー３３の上に嵌め設けられている押付ブロック３４と、前記押付ブロック３４の上に設けられている集光板３５と、を含み、前記締付体３１の上端には内ねじ３１０と外ねじ３１１とを有する立設環状突起３１２が設けられており、前記締付体３１の下端には、円心方向に延びている内環状突起３１４と、逆円心方向に延びている外環状突起３１５と、が設けられており、前記放熱嵌め蓋４０は、底部には前記内ねじ４１を有する前記収容空間４００が設けられており、前記内ねじ４１が前記外ねじ２３３と嵌合して前記連接部２３に嵌合しており、前記収容空間４００の頂部の外側に嵌め溝４２が設けられており、その中央には前記固定台５０の前記鋼管７０と螺接している嵌め突起４３が上方向に延びており、前記嵌め突起４３の上平面にはリブ４４が複数に設けられており、前記固定台５０は、下方に前記固定底蓋６０に嵌合する凸部５１が形成されており、前記固定底蓋６０の底部は前記鋼管７０を介して前記防爆ランプ１０の前記放熱嵌め蓋４０に結合されており、前記ＬＥＤ放熱装置８０は、複数の熱伝導管８１と、複数の嵌め台８２と、複数のＬＥＤランプ８３と、から構成され、前記熱伝導管８１は、対となる前記嵌め台８２にそれぞれ結合されており、前記ケース２０の前記ＬＥＤランプチェンバー２１の複数の前記ガイド溝２２２にそれぞれ挿入されており、複数の前記ＬＥＤランプ８３は、前記ＬＥＤ放熱装置８０の複数の前記熱伝導管８１の一側に結合されていることを特徴とする。
【０００６】
前記ケース２０の材質は、高熱伝導係数を有するアルミ合金を使用可能なことを特徴とする。
【０００７】
前記ケース２０と前記蓋３０と前記放熱嵌め蓋４０の結合方式は螺接を使用可能なことを特徴とする。
【考案の効果】
【０００８】
本考案のＬＥＤ防爆ランプによれば、次のような効果がある。
（１）ＬＥＤランプを発光体とすることにより、消費電力を低減することができ、小型な筐体で、爆裂することがなく、そして照明の光度が高い。
（２）電気回路通路から連接部まで放熱液（すなわち、エポキシ（ＥＰＯＸＹ））を注入するので、絶縁及び防食効果が高く、熱伝導効率が更に高くなる。
【０００９】
（３）ケースの蓋と放熱嵌め蓋とケースの結合方式は、螺着を採用し、ネジを使用しない。
（４）本考案に係る放熱嵌め蓋の上端面には、支持力を強化する為にリブが複数設けられているので、亀裂を発生することがなくなり、気密性を確保することができる。
【００１０】
（５）ケースの頂部と底部の間には中心から円周方向に延びる放熱フィンが複数設置されているので、放熱フィンによりケースが保護され、ＬＥＤランプの点灯による発熱を効果的に発散することができる。
【考案を実施するための最良の形態】
【００１１】
以下、本考案の実施の形態を図面に基づいて説明する。
まず、図１及び図２を参照する。本考案に係るＬＥＤ防爆ランプは、防爆ランプ１０内にＬＥＤ放熱装置を組付けることに適用可能であり、少なくとも、ケース２０と、蓋３０と、放熱嵌め蓋４０と、を含み、固定底蓋６０と鋼管７０と固定台５０の組合体に防爆ランプ１０を締付けて構成される。
【００１２】
ケース２０は、アルミや銅などの高熱伝導係数を有する金属で作製され、底部にはＬＥＤ放熱装置８０を収容するＬＥＤランプチェンバー２１が形成されている。また、底部には環状溝２１０が設けられており、シールリング３２が環状溝２１０に嵌挿されている。ＬＥＤランプチェンバー２１の内側下部に設けられた内ねじ２１１が締付体３１に設けられた外ねじ３１１に螺合可能であり、内ねじ２１１と外ねじ３１１が螺合することによって、ＬＥＤランプチェンバー２１が液密になる。ケース２０の頂部には収容空間２２を有し、頂縁に溝２３１が設けられた連接部２３が延びており、シールリング２３２が溝２３１に嵌挿されている。連接部２３は、外周面に外ねじ２３３が形成されており、外ねじ２３３は固定台５０の下に固定された固定底蓋６０に螺接されている放熱嵌め蓋４０の内面に設けられた内ねじ４１と螺合可能である。外ねじ２３３の底部の外端面２３４には鉛直方向に沿う放熱フィン２３５が複数設置されている。ケース２０の中央には、ＬＥＤランプチェンバー２１及び連接部２３と連通している電気回路経路２２１が設けられており、電気回路経路２２１の末端にはゴムリング２２３が嵌挿されている。ケース２０の周縁にはＬＥＤランプチェンバー２１と連通しているガイド溝２２２が複数設けられており、ケース２０の外周面の頂部から底部まで中心から円周方向に延びる放熱フィン２４が複数設けられている。また、放熱フィン２４により、ケース２０が保護され、放熱効果が向上する。
【００１３】
蓋３０は、ケース２０の末端のＬＥＤランプチェンバー２１内に螺接されており、少なくとも、締付体３１と、シールリング３２と、ランプカバー３３と、押付ブロック３４と、集光板３５と、を含み、締付体３１は、ＬＥＤランプチェンバー２１の下部に螺接されており、上端には内外ねじ３１０、３１１を有する立設環状突起３１２が設けられている。締付体３１の下端には、円心方向にに延びている内環状突起３１４と、逆円心方向に延びている外環状突起３１５と、が設けられている。シールリング３２は、ケース２０の底面の環状溝２１０に嵌挿されており、締付体３１に圧迫されている。ランプカバー３３は、防爆ガラスなどの高耐熱性を有する透明材料で作製されたものであり、締付体３１の内環状突起３１４に嵌設されている。締付体３１との結合を強化するために、ランプカバー３３の周面にはシリコン３１３が塗布されている（図３参照）。押付ブロック３４は、ランプカバー３３の頂部の上に嵌設されており、その外周面には締付体３１に設けられた内ねじ３１０と螺合可能な外ねじ３４１が設けられている。集光板３５は、押付ブロック３４の上に設けられており、その外縁には、ＬＥＤ放熱装置８０の複数の嵌め台８２の外側に開設された締付穴８２１に対応している貫通孔３５１が形成されている。ネジなどの固定子３５２を貫通孔３５１に挿通して締付穴８２１に締付けると、集光板３５がＬＥＤ放熱装置８０に固定されるようになる。
【００１４】
放熱嵌め蓋４０は、底部に内ねじ４１を有する収容空間４００が設けられている。内ねじ４１は、ケース２０の連接部２３に設けられた外ねじ２３３と螺合可能である。収容空間４００の頂部の外周部に嵌め溝４２が設けられており、嵌め溝４２にシールリング２３２が嵌入されている。放熱嵌め蓋４０の中央には固定台５０の鋼管７０と螺接している嵌め突起４３が上方向に成形されており、放熱嵌め蓋４０の上平面にはリブ４４が複数設けられている。
固定台５０は、下方には固定底蓋６０と接合する凸部５１が形成されており、凸部５１の底縁にねじ穴５１２が複数設けられている。
【００１５】
固定底蓋６０は、固定台５０に設けられた収容空間５１１に嵌合可能な環状立設壁６１が設けられており、中心の穴に内ねじ６２が形成されており、底外縁に締付板６３が延びており、締付板６３には固定台５０に設けられた複数のねじ穴５１２に対応している貫通孔６３１が設けられている。ネジなどの締付子６３２を貫通孔６３１に挿通して固定台５０に設けられたねじ穴５１２に締付けると、固定台５０と固定底蓋６０が結合されるようになる。
鋼管７０は、中空の円柱形であり、両端に第一螺接端７１と第二螺接端７２とがそれぞれ設けられている。第一螺接端７１は放熱嵌め蓋４０に設けられたねじ穴４３１に螺着され、第二螺接端７２が固定底蓋６０の内ねじ６２に螺着されている。放熱嵌め蓋４０の底部と固定底蓋６０の頂部とは、第一ナット７３と第二ナット７４とによって、鋼管７０の第一螺接端７１と第二螺接端７２とにそれぞれ螺接されている。
【００１６】
ＬＥＤ放熱装置８０は、複数の熱伝導管８１と、複数の嵌め台８２と、から構成され、複数の熱伝導管８１は、複数の嵌め台８２にそれぞれ設置されている。また、ケース２０のＬＥＤランプチェンバー２１の複数のガイド溝２２２にそれぞれ挿入されており、複数のＬＥＤランプ８３は、ＬＥＤ放熱装置８０の複数の熱伝導管８１の一側に接合されている。このため、ＬＥＤ放熱装置８０の複数の熱伝導管８１により、複数のＬＥＤランプ８３の点灯時に発生する熱が効率よく発散される。
【００１７】
次に、図３を参照しながら本考案の組合せ方法を説明する。ケース２０のＬＥＤランプチェンバー２１のガイド溝２２２に複数の熱伝導管８１を嵌入した後、ケーブル（図示せず）をシールリング２３２に挿通して電気回路通路２２１を嵌通し安定器（図示せず）と電気的に連接する。また、前記安定器の１１０Ｖの電源ケーブル及びケースのアースケーブルを外部に引き出して、複数のＬＥＤランプ８３の電線を上端に貫入して電気的に連接した後、防爆物（粘土等）によって間隙を埋めて、上端から放熱液９０（すなわち、エポキシ）を注入する。これにより、絶縁、放熱及び防食効果を得ることができる。
【００１８】
また、集光板３５を介してケース２０の末端のＬＥＤランプチェンバー２１にＬＥＤ放熱装置８０の複数の嵌め台８２に光を集中させると、ＬＥＤランプ８３の光度のロスを低減することができる。なお、ＬＥＤランプチェンバー２１の内側下部に設けられた内ねじ２１１と締付体３１に設けられた外ねじ３１１が螺合可能であり、内ねじ２１１と外ねじ３１１が螺合時は、ＬＥＤランプチェンバー２１が液密になる。そしてケース２０の連接部２３の外縁に設けられた外ねじ２３３に放熱嵌め蓋４０の内縁に設けられた内ねじ４１を螺接して、鋼管７０の両端に設けられた第一螺接端７１及び第二螺接端７２と第一ナット７３及び第二ナット７４によって、固定台５０の固定底蓋６０に放熱嵌め蓋４０の嵌め突起４３を螺接すると、本考案に係るＬＥＤ防爆ランプが組合し終わる。
【００１９】
図４に示すように、ＬＥＤランプ８３を発光体とすることにより、消費電力を低減することができ、体積が極めて小さく、爆裂することがなく、そして照明の光度を高くすることが可能である。これにより、ＬＥＤランプチェンバー２１を小型化することができる。且つ、ＬＥＤ放熱装置８０の複数のＬＥＤランプ８３の点灯時の発熱は、ケース２０に設置された放熱フィン２４によって効率的に発散することができる。
図５に示すように、本考案に係るＬＥＤ防爆ランプ１０のケース２０のＬＥＤランプチェンバー２１の内部のＬＥＤ放熱装置８０に設けられた複数のＬＥＤランプ８３が点灯しているときに爆裂する場合には、その爆裂力は、図５における矢印に示すように、複数の放熱フィン２４によって防護されるため、爆裂による破壊を最小限に抑えることができる。
【図面の簡単な説明】
【００２０】
【図１】本考案に係るＬＥＤ防爆ランプの分解斜視図である。
【図２】本考案に係るＬＥＤ防爆ランプの一部を破断した断面状態の分解斜視図である。
【図３】本考案に係るＬＥＤ防爆ランプの組合せ状態の断面図である。
【図４】本考案に係るＬＥＤ防爆ランプの放熱経路を示す概略図である。
【図５】本考案に係るＬＥＤ防爆ランプの爆裂状態を示す概略図である。
【符号の説明】
【００２１】
１０    防爆ランプ
２０    ケース
２１    ＬＥＤランプチェンバー
２２    収容空間
２３    連接部
２４    放熱フィン
３０    蓋
３１    締付体
３２    シールリング
３３    ランプカバー
３４    押付ブロック
３５    集光板
４０    放熱嵌め蓋
４１    内ねじ
４２    嵌め溝
４３    嵌め突起
４４    リブ
５０    固定台
５１    凸部
６０    固定底蓋
６１    環状立設壁
６２    内ねじ穴
６３    締付板
７０    鋼管
７１    第一螺接端
７２    第二螺接端
８０    ＬＥＤ放熱装置
８１    熱伝導管
８２    嵌め台
８３    ＬＥＤランプ
２１０  環状溝
２２１  電気回路通路
２２２  ガイド溝
２２３  ゴムリング
２３１  溝
２３２  シールリング
２３３  外ねじ
２３４  外端面
２３５  放熱フィン
３１０  内ねじ
３１１  外ねじ
３１２  立設環状突起
３１３  シリコン
３１４  内環状突起
３１５  外環状突起
３４１  外ねじ
３５１  貫通孔
４００  収容空間
５１１  収容空間
５１２  ねじ穴
６３１  貫通孔
６３２  締付子
８２１  締付穴
【図１】
0003144751.tif 000003
【図２】
0003144751.tif 000004
【図３】
0003144751.tif 000005
【図４】
0003144751.tif 000006
【図５】
0003144751.tif 000007